(57)【要約】【課題】パチンコ球の落下速度を制御すること。【解決手段】複数のローラ３０のそれぞれは矢印Ｂ４方向へ回転操作されるものであり、複数のローラ３１のそれぞれは矢印Ｂ５方向へ回転操作されるものであり、パチンコ球が複数のローラ３０および複数のローラ３１相互間の球通路３２内に侵入したときにはローラ３０のカラー３０ｃおよびローラ３１のカラー３１ｃのそれぞれから付与される摩擦力でカラー３０ｃおよびカラー３１ｃ相互間に停留し、球通路３２に沿って下方へ搬送された後に球通路３２から放出される。これら複数のローラ３１のそれぞれはローラ３０とは異なる回転速度で回転操作されるものであり、球通路３２から放出されるパチンコ球には回転力が付与される。【選択図】図７
2008029867.tif 000002
【特許請求の範囲】
【請求項１】
遊技盤に設けられた台板と、
前記台板に設けられ、遊技者から見て前後方向へ延びるシャフトを中心に回転可能なものであって硬質部材製の本体部および当該本体部を取囲む軟質部材製のカラーを有すると共に相互に一列に配列された複数の第１のローラと、
前記台板に設けられ、遊技者から見て前後方向へ延びるシャフトを中心に回転可能なものであって硬質部材製の本体部および当該本体部を取囲む軟質部材製のカラーを有すると共に前記複数の第１のローラの配列方向に対して並行する方向に相互に一列に配列された複数の第２のローラと、
前記複数の第１のローラおよび前記複数の第２のローラ相互間に設けられ、前記遊技盤内に打出されたパチンコ球が侵入可能なものであって当該パチンコ球が前記第１のローラのカラーおよび前記第２のローラのカラーのそれぞれから付与される摩擦力で前記第１のローラのカラーおよび前記第２のローラのカラー相互間に停留するように幅寸法がパチンコ球の直径寸法に比べて小さく設定され且つ長さ寸法が複数個のパチンコ球が同時に停留する長さに設定された球通路と、
前記複数の第１のローラのそれぞれを相互に同一な方向へ回転操作する第１の落下モータおよび前記複数の第２のローラのそれぞれを前記第１のローラとは反対方向へ回転操作する第２の落下モータからなるものであって、前記球通路内に停留するパチンコ球を前記球通路に沿って搬送した後に前記球通路から前記第１のローラおよび前記第２のローラのそれぞれの回転速度に応じた速度で放出する駆動源を備え、
前記複数の第２のローラのそれぞれは、前記球通路から放出されるパチンコ球に回転力が付与されるように前記第１のローラとは異なる回転速度で回転操作されるものであることを特徴とするパチンコ機。
【発明の詳細な説明】
【技術分野】
【０００１】
本発明は、パチンコ球の挙動に変化を与えるための構成を備えたパチンコ機に関する。
【背景技術】
【０００２】
パチンコ機には、遊技盤内に打出されたパチンコ球を上方の風車に衝突させた後、下方の障害釘に衝突させる構成のものがある。この構成の場合、パチンコ球が風車に当ると、パチンコ球の落下方向および落下速度が変化するので、障害釘に対するパチンコ球の衝突方向および衝突速度にばらつきが生じ、パチンコ球の挙動に変化が与えられる。
【特許文献１】特開平０７−１７１２４４号公報
【特許文献２】実願平０２−００４６７４号（実開平０３−０９６８８３号）のマイクロフィルム
【発明の開示】
【発明が解決しようとする課題】
【０００３】
上記構成の場合、パチンコ球が風車に当る際の速度および角度が一定でなく、パチンコ球の跳ね方向および跳ね速度がランダムになるので、パチンコ球の挙動変化を任意に制御することができない。そこで、特開平６−１５４３９３号公報に記載されているように、パチンコ球を球通路内にストックした後、まとめて自由落下させることが考えられている。しかしながら、この構成の場合、パチンコ球の落下方向を任意に設定することはできるが、パチンコ球の落下速度を制御することはできない。
【０００４】
本発明は上記事情に鑑みてなされたものであり、その目的は、パチンコ球の落下速度を制御できるパチンコ機を提供することである。
【課題を解決するための手段】
【０００５】
請求項１記載のパチンコ機は、遊技盤に設けられた台板と、前記台板に設けられ遊技者から見て前後方向へ延びるシャフトを中心に回転可能なものであって硬質部材製の本体部および当該本体部を取囲む軟質部材製のカラーを有すると共に相互に一列に配列された複数の第１のローラと、前記台板に設けられ遊技者から見て前後方向へ延びるシャフトを中心に回転可能なものであって硬質部材製の本体部および当該本体部を取囲む軟質部材製のカラーを有すると共に前記複数の第１のローラの配列方向に対して並行する方向に相互に一列に配列された複数の第２のローラと、前記複数の第１のローラおよび前記複数の第２のローラ相互間に設けられ前記遊技盤内に打出されたパチンコ球が侵入可能なものであって当該パチンコ球が前記第１のローラのカラーおよび前記第２のローラのカラーのそれぞれから付与される摩擦力で前記第１のローラのカラーおよび前記第２のローラのカラー相互間に停留するように幅寸法がパチンコ球の直径寸法に比べて小さく設定され且つ長さ寸法が複数個のパチンコ球が同時に停留する長さに設定された球通路と、前記複数の第１のローラのそれぞれを相互に同一な方向へ回転操作する第１の落下モータおよび前記複数の第２のローラのそれぞれを前記第１のローラとは反対方向へ回転操作する第２の落下モータからなるものであって前記球通路内に停留するパチンコ球を前記球通路に沿って搬送した後に前記球通路から前記第１のローラおよび前記第２のローラのそれぞれの回転速度に応じた速度で放出する駆動源を備え、前記複数の第２のローラのそれぞれは前記球通路から放出されるパチンコ球に回転力が付与されるように前記第１のローラとは異なる回転速度で回転操作されるものであるところに特徴を有する。
【発明の効果】
【０００６】
遊技盤内に打出されたパチンコ球が球通路内に侵入すると、パチンコ球が球通路に沿って進んだ後、第１のローラおよび第２のローラのそれぞれの回転速度に応じた速度で球通路内から放出される。このため、パチンコ球の落下速度が制御される。しかも、球通路から放出されるパチンコ球に回転力が付与される。このため、障害釘，風車等に当るパチンコ球の跳ね方向に大きな変化が生じるので、パチンコ球の挙動に変化が与えられる。しかも、球通路内のパチンコ球にベルトから摩擦力を付与する場合とは異なり、ベルトの弛みを手直しする手間が不要になるので、メンテナンス性が向上する。しかも、球通路内に複数のパチンコ球が同時に侵入する上、各パチンコ球が踊るように転がりながら球通路から放出されるので、視覚的な効果が生じる。
【発明を実施するための最良の形態】
【０００７】
以下、本発明の第１の実施形態を図１ないし図４に基づいて説明する。まず、図１において、外枠１は木材を矩形状に組合せてなるものであり、外枠１には、下部に位置して下皿２が取付けられ、下皿２の右側に位置して操作ハンドル３が装着されている。
【０００８】
外枠１には遊技盤４が取付けられており、遊技盤４の裏面にはメイン基板５（図４参照）が装着され、メイン基板５には、マイクロコンピュータを主体とする制御装置（図示せず）が実装されている。そして、操作ハンドル３の裏側には打球槌６および発射モータ６ａ（図４参照）が装着されており、制御装置は、操作ハンドル３が矢印Ａ方向へ回動操作されたことを検出すると、モータ駆動回路６ｂ（図４参照）を介して発射モータ６ａを駆動し、打球槌６を繰返し回動させる。尚、符号６ｃは、打球槌６の回動軸を示している。
【０００９】
下皿２と遊技盤４との間には上皿７が装着されている。この上皿７内にはパチンコ球Ａ（図２参照）が貯溜されており、打球槌６が回動すると、上皿７内のパチンコ球Ａが打球槌６により上皿７内から打出される。そして、遊技盤４の左側部にはガイドレール４ａ，４ａが装着されており、上皿７から打出されたパチンコ球Ａは、両ガイドレール４ａに沿って遊技盤４内の上部に弾き出される。
【００１０】
遊技盤４の略中央部には図柄表示装置８が装着され、図柄表示装置８の左右両側部には台板９がねじ止めされている。これら各台板９はプラスチックから形成されたものであり、図２に示すように、各台板９の下部には長尺なシャフト１０，１０が回転可能に装着され、上部には短尺なシャフト１１，１１が回転可能に装着されている。
【００１１】
各シャフト１０，１１の先端部にはプーリー１０ａ，１１ａが固定されており、各プーリー１０ａおよび１１ａには、抵抗部材に相当するゴム製のベルト１２が掛渡されている。そして、両ベルト１２間には、上下方向へ延びる直状の球通路１３が形成されており、各球通路１３の幅寸法Ｗはパチンコ球Ａの直径寸法より若干小さく設定され、各球通路１３の長さ寸法Ｌはパチンコ球Ａの直径寸法の３．５倍程度に設定されている。
【００１２】
各台板９の表面にはカバー１４がねじ止めされている。これら各カバー１４は、透明なプラスチックから形成されたものであり、上下端部が開口している。また、各台板９には、ベルト１２，１２に沿って突状のガイド１５，１５が固定されている。これら各ガイド１５の先端部には傾斜部１５ａが形成されており、パチンコ球Ａが各カバー１４の上端開口部からカバー１４内に侵入すると、傾斜部１５ａに沿って球通路１３内に転がり落ち、両ベルト１２間に摩擦力（＝接触抵抗）で挟持される。
【００１３】
各台板９には、図３に示すように、遊技盤４の裏側からモータベース１６が固定されている。これら各モータベース１６には、駆動源に相当する落下モータ１７が固定されており、各落下モータ１７の回転軸１７ａ（図２のｂ参照）にはモータギア１８ａが連結されている。そして、下方に位置する各シャフト１０にはベルトギア１８ｂが連結されており、モータギア１８ａには一方のベルトギア１８ｂが噛合され、一方のベルトギア１８ｂには他方のベルトギア１８ｂが噛合されている。
【００１４】
従って、各落下モータ１７が作動すると、落下モータ１７の回転力がモータギア１８ａからベルトギア１８ｂ，１８ｂを通してシャフト１０，１０に伝達され、ベルト１２，１２が図２の矢印Ｂ１，Ｂ２方向へ同速度で回転する。これにより、ベルト１２，１２間に保持されたパチンコ球Ａが球通路１３に沿って下降した後、ベルト１２，１２の回転速度に応じた速度でカバー１４の下端開口部から放出される。
【００１５】
尚、図３の符号１０ｂ，１１ｂは、シャフト１０およびベルトギア１８ｂ，シャフト１１およびベルトギア１８ｂを抜止め状態に保持するＥリングを示している。また、ベルトギア１８ｂ，１８ｂの径寸法および歯数は同一に設定されている。
【００１６】
各落下モータ１７は、図４に示すように、モータ駆動回路１７ｂを介してメイン基板５に接続されており、制御装置は、内部ＲＯＭの制御プログラムに基づいてモータ駆動回路１７ｂに制御信号を与え、落下モータ１７の回転速度をランダムに調整する。これにより、ベルト１２，１２の回転速度を変化させ、球通路１３から放出されるパチンコ球Ａの落下速度を制御する。
【００１７】
遊技盤４には、図１に示すように、図柄表示装置８の下方に位置して電動チューリップ２０が装着されている。また、遊技盤４には、各台板９の下方に位置して風車２１，２１が装着されており、球通路１３から放出されたパチンコ球Ａ，風車２１に当ったパチンコ球Ａ等が電動チューリップ２０内に入賞すると、パチンコ球Ａの入賞タイミングに応じた図柄が図柄表示装置８に表示される。
【００１８】
遊技盤４には、図柄表示装置８の下方に位置してアタッカー２２が装着されており、図柄表示装置８に大当り図柄が表示されると、制御装置は、電磁ソレノイド２２ａ（図４参照）を励磁させることに伴いアタッカー２２を回動させ、アタッカー２２により閉塞されていた大入賞口（図示せず）を開放する。すると、パチンコ球Ａが大入賞口内に入賞し、入賞個数に応じたパチンコ球Ａが上皿７内に払い出される。
【００１９】
上記実施形態によれば、制御装置は、電源が投入されると、各落下モータ１７に電源を供給し、各落下モータ１７を作動させる。これと共に、各落下モータ１７の回転速度を変化させ、各ベルト１２の駆動速度を調整する。この状態で操作ハンドル３の回動操作を検出すると、発射モータ６ａを作動させ、打球槌６を回動させることに伴い、遊技盤４内にパチンコ球Ａを打出す。このとき、各球通路１３内にパチンコ球Ａが侵入すると、パチンコ球Ａが両ベルト１２に保持されながら球通路１３に沿って下降した後、両ベルト１２の駆動速度に応じた速度で球通路１３から放出される。このため、パチンコ球Ａの落下方向が任意に設定される上、パチンコ球Ａの落下速度も制御されるので、パチンコ球Ａの挙動に変化が与えられ、その結果、ゲーム性が高まる。
【００２０】
また、各抵抗部材をベルト１２により構成したので、パチンコ球Ａのベルト１２に対する追従性が向上する。このため、パチンコ球Ａがベルト１２の回動速度に応じた速度で確実に球通路１３から放出されるので、パチンコ球Ａの落下速度を制御し易くなる。しかも、ベルト１２の長さ寸法Ｌを変えるだけで、球通路１３内のパチンコ球Ａの停留個数を簡単に調節できる上、ベルト１２の張設方向を変えるだけで、球通路１３からのパチンコ球Ａの放出方向を簡単に調節できるので、設計の自由度が向上する。また、ベルト１２の長さ寸法Ｌをパチンコ球Ａの直径寸法の３．５倍程度に設定したので、球通路１３内に複数のパチンコ球Ａが同時に停留されるようになる。このため、視覚的な効果が生じるので、ゲーム性が一層高まる。また、各ベルト１２に沿ってガイド１５を設けたので、ベルト１２がガイド１５に沿って円滑に回転するようになる。
【００２１】
尚、上記第１の実施形態においては、ベルトギア１８ｂ，１８ｂの径寸法および歯数を同一に設定することに伴い、両側のベルト１２を同速度で回転させたが、これに限定されるものではなく、例えば、ベルトギア１８ｂ，１８ｂの径寸法および歯数を相違させることに伴い、両側のベルト１２を異なる速度で回転させても良い。この構成の場合、球通路１３から放出されるパチンコ球Ａに回転力が付与され、障害釘に当るパチンコ球Ａの跳ね方向に大きな変化が生じるので、パチンコ球Ａの挙動に一層の変化が与えられる。また、上記第１の実施形態においては、球通路１３の両側に沿って１本のベルト１２を装着する構成としたが、これに限定されるものではなく、例えば球通路１３の両側に沿って複数本のベルト１２を並べる構成としても良い。
【００２２】
次に本発明の第２の実施形態を図５および図６に基づいて説明する。尚、上記第１の実施形態と同一の部材については同一の符号を付して説明を省略し、以下、異なる部材についてのみ説明を行う。まず、図５において、遊技盤４には、図柄表示装置８の左右両側に位置してプラスチック製の台板２３がねじ止めされている。
【００２３】
各台板２３には、図６に示すように、シャフト２４〜２６が回転可能に装着されている。これら各シャフト２４〜２６の先端部にはプーリー２４ａ〜２６ａが固定されており、各プーリー２４ａ〜２６ａ間にはベルト１２が掛渡されている。そして、各台板２３には傾斜状の壁部２３ａが一体形成されており、各壁部２３ａとベルト１２との間には傾斜状の球通路２７が形成されている。
【００２４】
尚、各球通路２７の幅寸法は、パチンコ球Ａの直径寸法より若干小さく設定され、各球通路２７の長さ寸法は、パチンコ球Ａの直径寸法の３．５倍程度に設定されている。
【００２５】
各台板２３には、透明なプラスチック製のカバー２８がねじ止めされている。これら各カバー２８は上端部および下端部が開口するものであり、パチンコ球Ａが各カバー２８の上端開口部から球通路２７内に侵入すると、壁部２３ａおよびベルト１２間に摩擦力で挟持され、球通路２７内に停留される。
【００２６】
各台板２３には、遊技盤４の裏側から落下モータ（図示せず）が固定されており、この落下モータの回転軸にはモータギア（図示せず）が連結されている。そして、下方に位置する各シャフト２４にはベルトギア（図示ぜず）が連結されており、各モータギアはベルトギアに噛合されている。従って、各落下モータが作動すると、落下モータの回転力がシャフト２４に伝達され、各ベルト１２が図６の矢印Ｂ３方向へ回転する。
【００２７】
上記実施形態によれば、制御装置は、電源が投入されると、各落下モータに電源を供給し、各落下モータを駆動する。これと共に、各落下モータの回転速度をランダムに変化させ、各ベルト１２の回転速度を制御する。この状態で遊技盤４内にパチンコ球Ａが打出され、各球通路２７内に侵入すると、パチンコ球Ａが壁部２３ａおよびベルト１２により保持されながら球通路２７に沿って進んだ後、各ベルト１２の回転速度に応じた速度で球通路２７から放出される。このため、パチンコ球Ａの落下方向が任意に設定される上、パチンコ球Ａの落下速度も制御されるので、その結果、パチンコ球Ａの挙動に変化が与えられ、ゲーム性が高まる。また、ベルト１２と台板２３の壁部２３ａとから球通路２７を形成したので、２本のベルト１２により球通路１３を形成する第１の実施形態に比べ、経時変化に伴うベルト１２の弛み量が低減される。このため、ベルト１２を張設し直す手間が少なくなるので、メンテナンスの点で有利になる。
【００２８】
尚、上記第２の実施形態においては、球通路２７の一方側に沿って１本のベルト１２を装着する構成としたが、これに限定されるものではなく、例えば球通路２７の一方側に沿って複数本のベルト１２を並べる構成としても良い。また、上記第１および第２の実施形態においては、ベルト１２の長さ寸法をパチンコ球Ａの直径寸法の３．５倍程度に設定したが、これに限定されるものではなく、例えば、パチンコ球Ａの直径寸法に略等しく設定したり、パチンコ球Ａの直径寸法の整数倍に設定しても良い。
【００２９】
次に本発明の第３の実施形態を図７および図８に基づいて説明する。尚、上記第１の実施形態と同一の部材については同一の符号を付して説明を省略し、以下、異なる部材についてのみ説明を行う。まず、図７において、台板２９は、図柄表示装置８の左右両側にねじ止めされたものであり、各台板２９には、抵抗部材に相当する３つのローラ３０のシャフト３０ａ，３つのローラ３１のシャフト３１ａ（図８参照）が等ピッチで回転可能に装着されている。
【００３０】
各ローラ３０，３１は、硬質部材（プラスチック等）製の本体部３０ｂ，３１ｂと、軟質部材（ゴム，スポンジ等）製のカラー３０ｃ，３１ｃとから構成されたものであり、３個のカラー３０ｃ，３１ｃ間には、上下方向へ延びる略直状の球通路３２が形成されている。尚、各球通路３２の幅寸法Ｗは、パチンコ球Ａの直径寸法より若干小さく設定され、長さ寸法Ｌは、パチンコ球Ａの直径寸法の３．５倍程度に設定されている。
【００３１】
各台板２９には、３個のカラー３０ｃ，３１ｃに沿って突状のガイド３３，３３が固定されており、これら各ガイド３３の上端部，下端部には傾斜部３３ａ，３３ｂが形成されている。また、各台板２９の外周部には壁部２９ａが一体形成されており、各壁部２９ａの上端部，下端部には開口部２９ｂ，２９ｃが形成されている。そして、各ガイド３３の傾斜部３３ａ，３３ｂは開口部２９ｂ，２９ｃ内に位置しており、パチンコ球Ａは、二点鎖線で示すように、上方の各傾斜部３３ａに沿って球通路３２内に転がり落ち、カラー３０ｃ，３１ｃに摩擦力で挟持される。
【００３２】
各ローラ３０のシャフト３０ａ，各ローラ３１のシャフト３１ａには、図８に示すように、ベルトギア３０ｄ，３１ｄが連結されている。また、各台板２９には、上段のベルトギア３０ｄと中段のベルトギア３０ｄとの間に位置して中間ギア３４のシャフト３４ａが回転可能に装着されており、中間ギア３４は、上段のベルトギア３０ｄと中段のベルトギア３０ｄとに噛合されている。
【００３３】
また、各台板２９には、下段のベルトギア３１ｄと中段のベルトギア３１ｄとの間に位置して中間ギア３５のシャフト３５ａが回転可能に装着されており、中間ギア３５は、下段のベルトギア３１ｄと中段のベルトギア３１ｄとに噛合されている。尚、符号３０ｅ，３１ｅ，３４ｂ，３５ｂは、シャフト３０ａおよびベルトギア３０ｄ，シャフト３１ａおよびベルトギア３１ｄ，シャフト３４ａおよび中間ギア３４，シャフト３５ａおよび中間ギア３５を抜止めするＥリングを示している。
【００３４】
各台板２９には、遊技盤４の裏側からモータベース３６が固定されている。これら各モータベース３６には落下モータ１７，１７が固定されており、各落下モータ１７の回転軸１７ａにはモータギア１８ａが連結されている。そして、下段のベルトギア３０ｄと中段のベルトギア３０ｄとの間，上段のベルトギア３１ｄと中段のベルトギア３１ｄとの間にはモータギア１８ａ，１８ａが噛合されている。
【００３５】
従って、各落下モータ１７が作動すると、一方の落下モータ１７の回転力がモータギア１８ａから各ベルトギア３０ｄを通してシャフト３０ａに伝達され、各ローラ３０のカラー３０ｃが本体部３０ｂと一体的に図７の矢印Ｂ４方向へ回転する。これと共に、他方の落下モータ１７の回転力がモータギア１８ａから各ベルトギア３１ｄを通してシャフト３１ａに伝達され、各ローラ３１のカラー３１ｃが本体部３１ｂと一体的に図７の矢印Ｂ５方向へ回転する。
【００３６】
上記実施形態によれば、制御装置は、電源が投入されると、各落下モータ１７に電源を供給し、各落下モータ１７を作動させる。これと共に、各落下モータ１７の回転速度をランダムに変化させながら、各ローラ３０，３１を異なる速度で回転させる。この状態で、各球通路３２内にパチンコ球Ａが侵入すると、パチンコ球Ａがローラ３０，３１に保持されながら球通路３２に沿って踊るように下降した後、ローラ３０，３１の回転速度に応じた速度で球通路３２から放出される。このため、パチンコ球Ａの落下方向が任意に設定される上、パチンコ球Ａの落下速度も制御されるので、パチンコ球Ａの挙動に変化が与えられ、その結果、ゲーム性が高まる。
【００３７】
また、ローラ３０，３１を異なる速度で回転させたので、球通路３２から放出されるパチンコ球Ａに回転力が付与される。このため、障害釘に当るパチンコ球Ａの跳ね方向に大きな変化が生じるので、パチンコ球Ａの挙動に一層の変化が与えられる。また、抵抗部材をローラ３０，３１により構成した。このため、ベルト１２の弛みを手直しする手間が不要になるので、メンテナンス性が向上する。しかも、ローラ３０，３１を球通路３２の両側に沿って複数個並べたので、球通路３２内に複数のパチンコ球Ａが同時に停留される上、各パチンコ球Ａが踊るように転がりながら球通路３２から放出される。このため、視覚的な効果が生じるので、ゲーム性がより一層高まる。さらに、３つのローラ３０，３１に沿ってガイド３３，３３を設けたので、各ローラ３０，３１が円滑に回転するようになる。
【００３８】
尚、上記第３の実施形態においては、球通路３２の両側にローラ３０，３１を装着したが、これに限定されるものではなく、例えば球通路３２の一方側にローラ３０（３１）を装着しても良い。この構成の場合、球通路３２の他方側は、上記第２の実施形態のように、台板２９の壁部から構成すると良い。また、上記第３の実施形態においては、球通路３２の両側に沿って複数のローラ３０，３１を並べたが、これに限定されるものではなく、例えば球通路３２の両側に１個のローラ３０，３１を装着しても良い。
【００３９】
また、上記第１〜第３の実施形態においては、パチンコ球Ａを球通路１３，２７，３２に沿って下降させたが、これに限定されるものではなく、例えば、球通路１３，２７，３２の下方に受皿を設け、この受皿によりパチンコ球Ａを受けた後、球通路１３，２７，３２に沿って上昇させ、球通路１３，２７，３２の上端開口部から放出しても良い。また、上記第１〜第３の実施形態においては、パチンコ球Ａを球通路１３，２７，３２内に停留させる構成としたが、これに限定されるものではなく、例えば、球通路１３，２７，３２内を流通するパチンコ球Ａに落下抵抗を付与する構成としても良い。この構成の場合でも、ベルト１２，ローラ３０および３１の回転速度を調整することに伴い、パチンコ球Ａの放出速度が調整される。
【００４０】
上記実施例は特許請求の範囲に記載された発明に加えて次の各発明を含んでいる。
１．遊技盤に設けられ遊技盤内に打出されたパチンコ球が侵入する球通路と、この球通路の少なくとも一方側に設けられ球通路内のパチンコ球に接触抵抗を付与する抵抗部材と、この抵抗部材を駆動することに伴い前記球通路から放出されるパチンコ球の放出速度を調整する駆動源とを備えたことを特徴とするパチンコ機。本発明によれば、遊技盤内に打出されたパチンコ球が球通路内に侵入すると、パチンコ球が抵抗部材に接触しながら球通路に沿って進んだ後、抵抗部材の駆動速度に応じた速度で球通路から放出される。このため、パチンコ球の落下方向が任意に設定される上、パチンコ球の落下速度も制御されるので、パチンコ球の挙動に変化が与えられる。
２．抵抗部材が球通路の両側に設けられ、両側の抵抗部材が異なる速度で駆動することを特徴とするパチンコ機。本発明によれば、球通路から放出されるパチンコ球に回転力が付与される。このため、障害釘，風車等に当るパチンコ球の跳ね方向に大きな変化が生じるので、パチンコ球の挙動に一層の変化が与えられる。
３．抵抗部材がベルトにより構成されていることを特徴とするパチンコ機。本発明によれば、パチンコ球のベルトに対する追従性が向上する。このため、パチンコ球がベルトの駆動速度に応じた速度で確実に球通路から放出されるので、パチンコ球の落下速度を制御し易くなる。しかも、ベルトの長さを変えるだけで、球通路内のパチンコ球の個数を簡単に調節できる上、ベルトの張設方向を変えるだけで、球通路からのパチンコ球の放出方向を簡単に調節できるので、設計の自由度が向上する。
４．抵抗部材がローラにより構成されていることを特徴とするパチンコ機。本発明によれば、抵抗部材をベルトから構成する場合とは異なり、ベルトの弛みを手直しする手間が不要になるので、メンテナンス性が向上する。
５．ローラからなる抵抗部材が球通路の両側に沿って複数個並べられていることを特徴とするパチンコ機。本発明によれば、球通路内に複数のパチンコ球が同時に侵入する上、各パチンコ球が踊るように転がりながら球通路から放出されるので、視覚的な効果が生じ、ゲーム性が一層高まる。
【図面の簡単な説明】
【００４１】
【図１】本発明の第１の実施形態を示す図（全体構成を示す正面図）
【図２】（ａ）は要部を示す正面図、（ｂ）は要部を示す縦断側面図
【図３】（ａ）は要部を示す裏面図、（ｂ）は要部を落下モータの除去状態で示す裏面図
【図４】電気的構成を示すブロック図
【図５】本発明の第２の実施形態を示す図１相当図
【図６】図２の（ａ）相当図
【図７】本発明の第３の実施形態を示す図２相当図
【図８】図３相当図
【符号の説明】
【００４２】
Ａはパチンコ球、４は遊技盤、１２はベルト（抵抗部材）、１３は球通路、１７は落下モータ（駆動源）、２７は球通路、３０はローラ（抵抗部材）、３１はローラ（抵抗部材）、３２は球通路を示す。
【図１】
2008029867.tif 000003
【図２】
2008029867.tif 000004
【図３】
2008029867.tif 000005
【図４】
2008029867.tif 000006
【図５】
2008029867.tif 000007
【図６】
2008029867.tif 000008
【図７】
2008029867.tif 000009
【図８】
2008029867.tif 000010